(57)【要約】【課題】検出可能な外科用品を検出するために、特に電子的に検出可能な物体（ＥＤＥ）を検出するために使用する一体の装置（１）に関する。【解決手段】この発明の装置は、走査ユニット（３）と制御ユニット（４）とを使用し、この走査ユニットは、電磁波を照射する手段（１５）と、電子的に検出可能な物体（ＥＤＥ）の金属構成によって生じる電磁波を受信する手段（１６）とを有する。前述した走査ユニット（３）は、制御ユニット（４）に組み込まれたコンピュータプログラムにもとづき機能し、このコンピュータプログラムは、患者の中に電子的に検出可能な物体（ＥＤＥ）が存在することを検出するために、受信手段（１６）によって受信された電磁波の形態及び高調波を処理する形式のものである。この発明は、照射手段（１５）からの基本周波数の電磁波に対する高調波の測定値にもとづくものであり、この発明の装置は、得られた結果を表示する表示部（５ａ，５ｂ，５ｃ）を有する。
2005531378.tif 000002
【特許請求の範囲】
【請求項１】
検出可能な外科用品を検出するための、特に電子的に検出可能な物体（ＥＤＥ）を検出するための装置（１）であって、走査ユニット（３）と制御ユニット（４）とを使用し、この走査ユニットは、電磁波を照射する手段（１５）と、この外科用品の金属合金によって生じる電磁波を受信する手段（１６）とを有し、この走査ユニットは、この制御ユニットに組み込まれたコンピュータプログラムにもとづいて機能し、この制御ユニットは、人体内に外科用品が存在することを検出するために、この受信手段によって受信された電磁波の形態及び高調波を処理する形式の装置において、この照射手段によって照射される電磁波の基本周波数が５０〜３００Ｈｚの範囲にあることと、この受信手段によって受信される電磁波の高調波が、照射された電磁波の基本周波数の５〜２２倍の範囲にある第一の高調波帯域と、照射された電磁波の基本周波数の３０〜３４倍の範囲にある第二の高調波帯域と、照射された電磁波の基本周波数の４０〜４５倍の範囲にある第三の高調波帯域内にあることと、この装置は、三つの表示部を備えた表示器（５）を配備しており、これらの表示部は、それぞれこの電子的に検出可能な物体の金属合金に対応する形態を持つ電磁波を検出した時に作動される表示部（５ａ）と、この電子的に検出可能な物体の金属合金に特有の高調波成分を持つ測定値が出現した時に作動される表示部（５ｂ）と、この装置が飽和状態となるか又は検出値がこの装置の動作範囲外となった時に作動される表示部（５ｃ）であり、これらの表示部（５ａ），（５ｂ）並びに（５ｃ）は、これらの受信した電磁波の特徴にもとづき作動可能であることとを特徴とする装置。
【請求項２】
当該の制御ユニット（４）は、当該の受信手段から出力される信号を調整する機器（６）、この調整された信号を分析する機器（７）並びに電磁波を照射する機器（８）を有することを特徴とする請求項１に記載の検出可能な外科用品を検出するための装置（１）。
【請求項３】
当該の受信手段から出力される信号を調整する機器（６）は、
ａ）当該の基本周波数の電磁波、電源装置の電磁波並びにこれらの各高調波及び２０００Ｈｚ以内の周波数の電磁波を除去する、当該の受信手段によって受信される電磁波の調整器と、
ｂ）当該の三つの高調波帯域の信号強度を増大させる機能を持つとともに、８ｋＨｚを超える周波数の信号を除去するエンファシスフィルターと、
ｃ）当該の照射された電磁波の基本周波数の５〜２２倍の範囲の周波数を通過させることができる低域高調波チャネル能動フィルターと、
ｄ）当該の照射された電磁波の基本周波数の３０〜３４倍の範囲の周波数を通過させることができる中域高調波チャネル能動フィルターと、
ｅ）当該の照射された電磁波の基本周波数の４０〜４５倍の範囲の周波数を通過させることができる高域高調波チャネル能動フィルターと、
ｆ）外科用品の金属合金によって生じる電磁波の形態に対応する階段関数を発生させる第三高調波帯域のサンプリング回路と、
ｇ）高調波チャネル能動フィルターとサンプリング回路の出力をアナログ・デジタル変換器と順次接続して同期させるマルチプレクサと、
を有することを特徴とする請求項１又は２に記載の検出可能な外科用品を検出するための装置（１）。
【請求項４】
当該の調整された信号を分析する機器（７）は、
ｈ）マイクロプロセッサと、
ｉ）供給電圧及びマイクロプロセッサを正常に機能させるための制御器と、
ｊ）当該の受信手段から出力されるデータを記憶するためのメモリユニットと、
ｋ）マイクロプロセッサのプログラム用のＥＰＲＯＭメモリと、
ｌ）制御対象の様々なモジュールにアクセスするためのマイクロプロセッサユニットと、
ｍ）アナログ・デジタル変換器と、
ｎ）動作周波数選択器と、
を有することを特徴とする請求項１から３までのいずれか一つに記載の検出可能な外科用品を検出するための装置（１）。
【請求項５】
当該のメモリユニットｊ）が、この装置を使用する予定の環境の構成部品の電磁的な識別データ及びこの装置によって生じる電磁的な識別データを保存しており、これらの識別データは、当該の環境を全体的に走査する作業によって取得されるものであり、患者に対する走査作業を行う時に当該の環境及びこの装置の構成部品から生じる信号を区別し、それによってこれらの信号が、患者の体内の異物を探索する際に受信するそれら以外の信号を捕捉するのを妨げないように、当該の分析処理において、これらの信号を排除することが可能であることを特徴とする請求項１から４までのいずれか一つに記載の検出可能な外科用品を検出するための装置（１）。
【請求項６】
当該の電磁波を照射する機器（８）は、
ｏ）３００Ｈｚを超える周波数を遮断するローパスフィルターと、
ｐ）照射する電磁波の強度減衰器と、
ｑ）照射する電磁波の増幅器と、
を有することを特徴とする請求項１から５までのいずれか一つに記載の検出可能な外科用品を検出するための装置（１）。
【請求項７】
当該の照射手段によって照射される電磁波の基本周波数は、７２又は２１８Ｈｚであることを特徴とする請求項１から６までのいずれか一つに記載の検出可能な外科用品を検出するための装置（１）。
【請求項８】
当該の照射手段の磁気誘導値は、５００マイクロテスラより小さく、その他の装置との干渉を避けるために、短い時間だけ作動されることを特徴とする請求項１から７までのいずれか一つに記載の検出可能な外科用品を検出するための装置（１）。
【請求項９】
当該の検出に関する閾値は、非常に低く、６ミリグラム〜１０ミリグラム、より好ましくは７ミリグラム〜９ミリグラムの間の質量に対して生じる電磁信号とほぼ等しいことを特徴とする請求項１から８までのいずれか一つに記載の検出可能な外科用品を検出するための装置（１）。
【請求項１０】
当該の制御ユニット（４）は、クロック、バッファ、シリアルポート、内部記録装置などの典型的なコンピュータ構成部品（９）を有することと、この制御ユニット（４）は、当該の走査結果を計算処理するため及び／又は印刷情報及び／又は画像情報を生成するために使用されるデータプロセッサ及び／又はプリンタ及び／又はモニターである補助的なコンピュータ構成部品（１０）と接続することができ、これらの補助的なコンピュータ構成部品は、この制御ユニットに組み込まれるか、又は外付けとされることとを特徴とする請求項１から９までのいずれか一つに記載の検出可能な外科用品を検出するための装置（１）。
【請求項１１】
この装置を動作させる際には、当該の走査ユニット（３）と制御ユニット（４）を、柔軟な接続ケーブル、光リンク、超音波リンク又はその他の相当品などの電子的な接続手段（１１）によって相互接続することとし、それによって輸送、保管又は消毒作業のために、この接続手段を外して、これらの走査ユニット及び制御ユニットを別々にすることができるようにしていることを特徴とする請求項１から１０までのいずれか一つに記載の検出可能な外科用品を検出するための装置（１）。
【発明の詳細な説明】
【技術分野】
【０００１】
この発明は、検出可能な外科用品を検出するための、より詳細には電子的に検出可能な物体を検出するための装置に関する。この検出装置は、走査ユニットと制御ユニットとを使用し、この走査ユニットが、電磁波を照射する手段及び受信する手段を有するとともに、制御ユニットに組み込まれたコンピュータプログラムにより動作する形式の装置である。
【背景技術】
【０００２】
外科手術の過程において、外科手術で使用され、患者の内部に残された可能性のある道具及び外科用物品が存在するか否かを検出するために、金属合金を検出するための電子装置を使用することは、既に周知である。
【０００３】
長年の間、金属素材の物体を検出するために、Ｘ線装置が使用されてきたが、術者と患者の両方にとって電離放射線を使用する危険性、手術室内に複雑な装置を保有する必要性並びに結果を得る速度の遅さのために、この検出ツールに対して、有用ではあるが、それほど有利ではない代替手段を生み出してきた。この問題については、より危険の少ない電磁波を用いる検出装置に関する多くの文献があるが、その製造の難しさ、その取り扱いを難しくする大きなサイズ、その不正確さ又は高いコストは、それらが市場で使われることを妨げてきた。特許文献１は、電磁波を照射する手段と受信する手段とを用いて、外科用器具を検出するための設備を開示しているが、この設備は、消毒が難しく、比較的大きい。特許文献２は、外科用道具に適用可能なカプセルに収納した金属部材から受信した電磁波の形態及び高調波成分を調べることにもとづく検出方法に言及している。また、特許文献３は、電磁場の生成によって金属性の物品を検出可能とする解剖用プローブを開示している。これらの先行文献に開示された技術は、前述した問題を解決するものではない。
【０００４】
電子的な装置を使用する検出法に対して、使用したすべての道具を物理的に計数すること、又は使用予定のすべての物体を収納する壁面内の位置と使用した後にそれらを元に戻すことにもとづく代替法が有る。これらの代替方法の問題は、専ら人が器具の管理に専念する必要があることと、場合によっては汚れた処分できる器具を手術終了まで保管することにより手術室の衛生状態を危うくすることである。
【特許文献１】国際特許公開第９３／０５７０７号明細書
【特許文献２】米国特許公開第５，４５６，７１８号明細書
【特許文献３】米国特許公開第４，５２６，１７７号明細書
【発明の開示】
【発明が解決しようとする課題】
【０００５】
この発明の課題は、各人の健康を危うくすることなく、前述した難しさ又は欠点を克服した電磁波を生成する装置にもとづく検出方法を適用可能とすることである。
【課題を解決するための手段】
【０００６】
前述したとおり、この発明の検出可能な外科用品の物体を検出するための装置は、特に電子的に検出可能な物体を検出するのに適用可能であり、電磁波を照射する手段と受信する手段とを有する走査ユニット及びコンピュータプログラムを組み込んだ制御ユニットを使用し、この照射手段によって照射される電磁波の基本周波数が５０〜３００Ｈｚの範囲にあることと、この受信手段によって受信される電磁波の高調波が、照射された電磁波の基本周波数の５〜２２倍の範囲にある第一の高調波帯域と、照射された電磁波の基本周波数の３０〜３４倍の範囲にある第二の高調波帯域と、照射された電磁波の基本周波数の４０〜４５倍の範囲にある第三の高調波帯域内にあることと、この装置が、三つの表示部を備えた表示器を配備しており、これらの表示部が、それぞれ電子的に検出可能な物体の金属合金に対応する形態を持つ電磁波を検出した時に作動される表示部と、電子的に検出可能な物体の金属合金に特有の高調波成分を持つ測定値が出現した時に作動される表示部と、この装置が飽和状態となるか又は検出値がこの装置の動作範囲外となった時に作動される表示部であることとを特徴とする形式の装置である。これらの表示部の組み合わせにより、探索している物体が存在する可能性又は間違い無い確度でそれを発見したことを利用者に知らせるものである。
【０００７】
この発明の別の特徴において、この制御ユニットは、受信手段から出力される信号を調整する機器、この調整された信号を分析する機器並びに電磁波を照射する機器を有するものである。
【０００８】
また、この発明において、この受信手段の信号を調整する機器は、電磁波調整器、エンファシスフィルター、低域高調波チャネル能動フィルター、中域高調波チャネル能動フィルター、高域高調波チャネル能動フィルター、第三高調波帯域サンプリング回路並びにマルチプレクサで構成される。
【０００９】
この発明の別の特徴において、この調整された信号を分析する機器は、マイクロプロセッサ、供給電圧及びマイクロプロセッサ機能の制御器、データ記憶用メモリユニット、マイクロプロセッサ・プログラム用メモリユニット、制御対象のすべてのモジュールにアクセスするためのマイクロプロセッサユニット、アナログ・デジタル変換器並びに動作周波数選択器を有する。
【００１０】
また、この発明において、受信手段によって受信されたデータを記憶するためのメモリユニットは、この装置を使用する予定の環境の構成部品の電磁的な識別データ及びこの装置によって生じる電磁的な識別データを保存しており、これらの識別データは、当該の環境の初期走査作業によって生成されるものであり、患者に対して走査作業を行う際における当該の環境の構成部品からの信号及びこの装置からの信号を区分するために用いられ、それによって患者の体内の異物を探索する際に受信されるこれら以外の信号を捕捉するのを妨げないようにするために、分析処理において除去可能とするものである。
【００１１】
この発明の別の特徴において、この電磁波を照射する機器は、２００Ｈｚを超える周波数を遮断するローパスフィルター、照射する電磁波の強度減衰器並びに当該の照射する電磁波の増幅器で構成される。この装置は、周辺の電子機器への干渉を避けるために、利用者が要求しない限り電磁波を送信しない。
【００１２】
また、この発明の装置は、照射する電磁波の基本周波数が７２又は２１８Ｈｚであることと、この照射手段の磁気誘導値が５００マイクロテスラより小さく、その他の装置との干渉を避けるために短い時間だけ作動されることを特徴とする。
【００１３】
この発明の装置において、検出のための閾値は、４ミリグラム〜１０ミリグラムの範囲、より好ましくは５ミリグラム〜９ミリグラムの範囲の質量に対して生じる電磁信号の値に等しい。
【００１４】
この発明の別の特徴において、この制御ユニットは、クロック、バッファ、シリアルポート、内部記録装置並びにその他の同様な機器などの典型的なコンピュータ構成部品を有し、走査した結果の計算処理及び／又は印刷情報及び／又は画像情報の取得を可能とするために、データプロセッサ及び／又はプリンタ及び／又はモニターなどの補助的なコンピュータ構成部品と接続可能であり、これらの補助的なコンピュータ構成部品は、この制御ユニットに組み込むか又は外付けにすることができる。
【００１５】
また、この発明において、この制御ユニット及び走査ユニットは、これらを動作させる際には、柔軟な接続ケーブル、光リンク、超音波リンク又はその他の適切なリンクなどの電子的な接続手段によって相互接続され、そうすることによってこれらの手段を取り外して、制御ユニット及び走査ユニットを別々にすることができるようにして、運搬、保管並びに消毒作業を容易にしている。
【００１６】
検出可能な外科用品を検出するための装置を用いて患者を走査するためには、初期フェーズ及び検出・分析フェーズから成る作業手順に従う。
【００１７】
この初期フェーズは、三つの連続した段階から構成され、第一段階は、この装置の電源を入れて、システムを点検し、誘導電磁界を生成するための照射手段を接続することであり、第二段階は、受信手段を作動することと、作業環境と装置の電気雑音のレベル及び形式を規定するために受信した信号を分析することとから成り、最後に第三段階では、初期フェーズで取得したデータを基準に保存することを目的として、それらのデータのメモリユニットへの記憶が行われる。前述した初期フェーズは、外科手術を行う予定の領域において実施し、約１０秒間継続する。
【００１８】
この検出・分析フェーズは、先ずはこの領域に走査ユニットを動かすことと、次に装置を作動して、この領域を走査することとから成る。この装置が、探索している形態的な特徴を持つ金属の塊を検出した場合、表示器が作動されて、受信した電磁波の特性にもとづく応答を示し、その際その検出が疑わしい場合には、利用者がより徹底的な探索を行うように警戒警報が作動され、その検出が間違い無い場合には、直ちに物品が存在することが表示される。検出しようとしている物品が前に観測された周知の信号を生成し、装置がこれらの物品の一つを検出した場合には、当該の物品が走査した領域内に存在することを通報するものである特徴的な反応を示し、このようにして、その物品を回収するのに必要なことを実行できるようにしている。特に、それが不注意にも外科手術された人の体内に残された外科用物品である場合、走査を実施した医者は、この事情を知って、この患者にとって特異で危険な状況を救済するのに好都合であると考えられる専門的な判断を行うこととなる。
【発明を実施するための最良の形態】
【００１９】
次に、例示する目的で、この検出可能な外科用品を検出するための装置に対する、特別で制限を加えるものではない実施形態を記載するとともに、この装置のより良い理解のために、図面を添付する。
【００２０】
当該の図面において、この発明にもとづく、検出可能な外科用品を検出するための、より詳細には電子的に検出可能な物体（ＥＤＥ）を検出するための装置１が、走査ユニット３と制御ユニット４とを有し、この走査ユニットが電磁波を照射する手段と受信する手段とを有することが分かる。
【００２１】
これらを前提として、図３では、走査ユニット３が二つの重なり合う筐体１２−１２’から成る容器１７で構成され、これらの筐体１２−１２’の中の少なくとも一つは、握るための部材としての取っ手１３と表示器５とを有し、この容器１７は、その中に電磁波を照射する手段１５と受信する手段１６とを持つフレーム１４を有するとともに、この容器１７は、電子的な接続手段１１をも有し、これらの接続手段のすべてが制御ユニット４との接続を可能とするものであることが分かる。図７に図示された実施例の表示器は、電子的に検出可能な物体（ＥＤＥ）の金属合金に対応する形態を持つ電磁波を検出した時に作動される表示部５ａと、電子的に検出可能な物体（ＥＤＥ）の金属合金に特有の高調波成分の測定値が出現した時に作動される表示部５ｂと、この装置が飽和状態となった場合に作動される表示部５ｃとで構成され、この飽和状態は、受信した信号が非常に大きな検出値を持つ場合に起こり、この状況は、この検出装置に敏感に反応する物品が近くに存在する特異な場合に起こるものであり、走査を行う専門家は、外科用メス又は鋏などの外科用物品が誤って患者の体内に残された可能性を含む考えられる原因を分析すべきである。
【００２２】
図４の例に示した制御ユニット４は、受信手段１６から出力される信号を調整する機器６、この調整された信号を分析する機器７並びに電磁波を照射する機器８から構成され、その際この調整機器６は、
ａ）基本周波数の電磁波、電源装置の電磁波並びにこれらの各高調波及び２０００Ｈｚ以内の周波数の電磁波を除去するために機能する、受信手段によって受信される電磁波の調整器と、
ｂ）三つの高調波帯域における信号の強度を増大させる機能を持つエンファシスフィルターと、
ｃ）照射した電磁波の基本周波数の５〜２２倍の範囲の周波数を通過させることができる低域高調波チャネル能動フィルターと、
ｄ）照射した電磁波の基本周波数の３０〜３４倍の範囲の周波数を通過させることができる中域高調波チャネル能動フィルターと、
ｅ）照射した電磁波の基本周波数の４０〜４５倍の範囲の周波数を通過させることができる高域高調波チャネル能動フィルターと、
ｆ）外科用器具の金属合金によって生じる電磁波の形態に対応する階段関数(graduated function)を生成する、第三高調波帯域のサンプリング回路と、
ｇ）高調波チャネル能動フィルターとサンプリング回路の出力をアナログ・デジタル変換器と順次接続するマルチプレクサと、
から成り、この調整された信号を分析する機器７は、
ｈ）マイクロプロセッサと、
ｉ）供給電圧及びマイクロプロセッサ機能の制御器と、
ｊ）受信手段から出力されるデータを記憶するためのメモリユニットと、
ｋ）マイクロプロセッサプログラム用のＥＰＲＯＭメモリと、
ｌ）制御対象の様々なモジュールにアクセスするためのマイクロプロセッサユニットと、
ｍ）アナログ・デジタル変換器と、
ｎ）動作周波数選択器と、
を有し、この照射機器８は、
ｏ）３００Ｈｚを超える周波数を遮断するローパスフィルターと、
ｐ）照射する電磁波の強度減衰器と、
ｑ）増幅器と、
で構成され、そして、この制御ユニット４は、クロック、バッファ、シリアルポート、内部記録装置並びにその他の同様な機器などの典型的なコンピュータ構成部品９を有し、データプロセッサ及び／又はプリンタ及び／又はモニターなどの補助的なコンピュータ構成部品と接続可能である。
【００２３】
図１ａ，１ｂは、照射手段１５によって照射される電磁波信号のグラフ図と受信手段１６によって受信された電磁波から得られた信号のグラフ図を示している。また、図２に図示された受信した電磁波の高調波成分の分析により、スプリアス信号（ＳＳ）と電子的に検出可能な物体（ＥＤＥ）の信号との間の差異を見ることができ、これらの高調波成分は、照射した電磁波の基本周波数の５〜２２倍の範囲にある第一高調波帯域と、照射した電磁波の基本周波数の３０〜３４倍の範囲にある第二高調波帯域と、照射した電磁波の基本周波数の４０〜４５倍の範囲にある第三高調波帯域とで構成されるものである。
【００２４】
使用する照射手段１５と受信手段１６の好ましい実施形態は、図４に見ることができ、そこには電磁波の照射及び受信用のアンテナとしてのコイルと照射する電磁波を調整可能なように適切に構成された様々な電子構成部品が図示されており、これらの電子構成部品は、強度減衰器ｐ）と増幅器ｑ）である。
【００２５】
図６は、プリンタ、モニター並びにキーボードなどの様々な補助的なコンピュータ構成部品１０を図示しており、これらは、柔軟な接続ケーブル、光リンク又はその他の相当品などの電子的な接続手段１１によって、制御ユニット４と接続され、これらの補助的なコンピュータ構成部品は、情報を容易に理解できるフォーマットで取得することを可能とするものである。
【００２６】
この発明の検出可能な外科用品の物体を検出するための装置１は、特に主に金属合金から製造された電子的に検出可能な物体（ＥＤＥ）を予め組み込んだ織物形式の外科用品を検出するために使用することができる。ここに示した検出装置は、４ミリグラム〜１０ミリグラム、より好ましくは５ミリグラム〜９ミリグラムの範囲の質量によって生じる電磁信号の値に等しい、検出に関する閾値を有する。前に説明したとおり、鋏又は外科用メスなどのそれ以外の外科用物体が患者の体内に存在する可能性を示すことができることも、この発明にもとづく検出装置を使用する利点である。
【００２７】
この発明の検出装置は、そのサイズ及び構成のために、容易に取り扱えるとともに、手術する患者の安全性を最大限に保証するために消毒することも可能である。
【図面の簡単な説明】
【００２８】
【図１ａ】照射手段によって照射される電磁波信号のグラフ図。
【図１ｂ】受信手段によって受信された電磁波信号のグラフ図。
【図２】走査作業を実行し受信手段によって受信された電磁波の形態及び高調波成分を分析した結果のグラフ図。
【図３】走査ユニットの斜視図。
【図４】送信及び受信用に使用する機器の模式図。
【図５】この発明の装置のブロック図。
【図６】様々な補助的なコンピュータ構成部品の模式図。
【図７】表示器の模式図。
【符号の説明】
【００２９】
１    この発明による装置
３    走査ユニット
４    制御ユニット
５    表示器
５ａ，５ｂ，５ｃ    表示部
６    受信手段１６から出力される信号を調整する機器
７    調整された信号を分析する機器
８    電磁波を照射する機器
９    コンピュータ構成部品
１０    補助的なコンピュータ構成部品
１１    電子的な接続手段
１２，１２’    筐体
１３    取っ手
１４    フレーム
１５    電磁波を照射する手段
１６    電磁波を受信する手段
ａ    受信手段によって受信される電磁波の調整器
ｂ    エンファシスフィルター
ｃ    低域高調波チャネル能動フィルター
ｄ    中域高調波チャネル能動フィルター
ｅ    高域高調波チャネル能動フィルター
ｆ    第三高調波帯域のサンプリング回路
ｇ    マルチプレクサ
ｈ    マイクロプロセッサ
ｉ    供給電圧及びマイクロプロセッサ機能の制御器
ｊ    メモリユニット
ｋ    ＥＰＲＯＭメモリ
ｌ    マイクロプロセッサユニット
ｍ    アナログ・デジタル変換器
ｎ    動作周波数選択器
ｏ    ローパスフィルター
ｐ    強度減衰器
ｑ    増幅器
ＥＤＥ    電子的に検出可能な物体
ＳＥ    スプリアス信号
2005531378.tif 000003
【図２】
2005531378.tif 000004
【図３】
2005531378.tif 000005
【図４】
2005531378.tif 000006
【図５】
2005531378.tif 000007
【図６】
2005531378.tif 000008
【手続補正書】
【提出日】平成17年3月1日(2005.3.1)
【手続補正１】
【補正対象書類名】図面
【補正対象項目名】図５
【補正方法】変更
【補正の内容】
【図５】
2005531378.tif 000009
【手続補正２】
【補正対象書類名】図面
【補正対象項目名】図７
【補正方法】追加
【補正の内容】
【図７】
2005531378.tif 000010
【国際調査報告】
2005531378.tif 000011
2005531378.tif 000012
2005531378.tif 000013
2005531378.tif 000014